(57)【要約】      （修正有）【課題】家庭から排泄される生ゴミが、鳥獣に食い散らかされるのを防ぐために使用する生ゴミ飛散防止用具の提供。【解決手段】バスケット７の蓋３に、蓋を形成する円形の輪に、吹き流しのような布地４を設けて、布地の中ほどをゴム紐でかるく締める。バスケット１の下部に、合成樹脂で出来た透明な筒８を設ける。透明な筒の使用によりバスケット１の中の状態が良く見えるので、利用者や回収業者のさまたげにならずバスケットを軽く持ち上げるだけでスムーズに作業を行う事がで来る。【選択図】図５
0003100648.tif 000002
【実用新案登録請求の範囲】
【請求項１】
バスケット（７）の底からゴミ袋（６）がはみ出し、鳥獣に食い散らかされるのを防ぎ、ゴミ袋の回収作業を楽にするために、ネット（１）の裾の部分に合成樹脂で出来た透明な筒（８）を設けた鳥獣よけバスケット。
【請求項２】
ネット（１）の開口部（２）に設ける、円形の蓋（３）において，蓋を形成する輪の部分に筒型の布地（４）を設け、布地の中程をゴム紐（５）で軽く締めて、ゴミ袋（６）は入れ易く、鳥獣の攻撃からは逃れることが出来るようにした鳥獣よけバスケット。
【考案の詳細な説明】
【考案の詳細な説明】
【産業上の利用分野】
【０００１】  家庭から排出される生ゴミは、定められた収集日に出しますが、これを鳥獣に食い散かされ、後始末に大変な思いをする事があります、その様な被害を防ぐために色々な取組がなされていますが、これと言った良い方法が無いのが実態です、本考案は集積された生ゴミが鳥獣に食い散かされるのを防止すると共に、ゴミ袋が道を占拠して歩行や自転車の走行に障害を来す事のないように、ゴミ袋を効率良く集積し、又、誰もが使いやすく、さらに、ゴミを回収する業に携わる者も余計な苦労しないで、スムーズに作業を進めて行く事が出来るゴミ飛散防止用具を目的にしています。
【従来の方法】
【０００２】  従来では生ゴミが鳥獣に食い散かされるのを防ぐために、ゴミ集積ボックスの設置やネットを被せる等の対策が取られていました。しかし、集積ボックスでは常にボックスの周囲にゴミが散らばり不衛生となりました、又、ゴミ袋にネットを被せる方法では、その都度ネットを被せたり剥したりしなければならずネットの掛け損じから、ゴミ袋がはみ出して鳥獣にいたずらされます、さらに、ゴミ集積に要する面積がゴミの量に比例して広くなり、歩行や自転車の走行に障害を来す事がありました。
【考案が解決しようとする課題】
【０００３】  考案が解決しようとする課題を整理すると次の３項目にまとめることができる。
【０００４】  ▲１▼バスケットの蓋をその都度ごとに、開け閉めをしないでもゴミ袋を入れる事ができるようにしたい、
【０００５】  ▲２▼従来のネットでは掛け損じると、ネットの裾からゴミ袋がはみ出す事があり、その部分から鳥獣がゴミ袋を引き出して食い散かすため、せっかくのネットがその用をはたさないことがあった。
【０００６】  ▲３▼バスケット（７）の中に集積されたゴミ袋（６）を簡単に外に出す事ができるようにして、回収する業者が楽に作業を進める様にしたい。
【課題を解決するための手段】
【０００７】  上記の目的を達成する為に，本考案の鳥獣よけバスケット（７）は、図２で示すように円形の蓋（３）の輪の部分に、吹き流しの様な布地（４）を設け、布地の中ほどをゴム紐（５）でかるく締めた、この事によりゴミ袋（６）は蓋の入り口（９）より布地の中を通り、バスケットの中に入れる事ができます、ゴミ袋を入れ終わって蓋（３）から手を放すと、蓋はゴミ袋の上に置かれます、この時、蓋の重みで布地はつぶされて入り口は閉じられます、閉じられると入り口から中のゴミ袋（６）は見えません、鳥獣は習性として見える所からゴミ袋を引き出そうとしますので、入り口からの攻撃は逃れることができます、布地（４）は、ゴミ袋をスベリ込ませるのを容易にし、自動的に入り口が閉まるはたらきをします、つまり、ゴミ袋を持参した者がその都度ごとに、蓋（３）の開閉をしなくいでもバスケット（７）の中にゴミ袋（６）を入れることができます、  さらに、蓋の閉め忘れを防ぐことができます，次にネット（１）の裾の部分には、図５で示すように合成樹脂で出来た透明の筒（８）を設けて重しとすることにより，バスケット（７）の底の部分と地面との隙間がほとんど出来ないので、底のないバスケットからゴミ袋が外にはみ出すことはなく、鳥獣の侵入をも防ぐ事が出来ます、さらに透明な筒は地面に垂直に立ちますのでゴミ袋との摩擦が小さいので、回収の業にたずさわる者がバスケットを持ち上げるとゴミ袋を簡単に外に出すことができます。
【考案を実施するための最良の形態】
【０００８】  本考案の鳥獣よけバスケットの使用法は、生ゴミ回収日に合わせて図６で示すように地面に置きます、利用者は蓋（３）の上にゴミ袋（６）を乗せて、蓋を持ち上げます、入り口（９）に取り付けられた布地（４）はゴミ袋の重みで開き、ゴミ袋はゴム紐（５）をくぐり抜けてスルリとバスケット（７）の中に入ります、この様にしてゴミ袋は次々に入れられます、やがてバスケットはゴミ袋で一杯になって膨らみますが、ゴミ集積に要する面積は殆ど変りません、又、バスケットには底がありませんのでゴミ袋（６）が外にはみ出す心配がありますが、バスケットの裾の部分に設けられた合成樹脂で出来た透明の筒（８）は、重しの役目をすると共に，バスケットの底の部分と地面との隙間をより小さいものとするので、底のないバスケットからゴミ袋が外にはみ出すことはなく、生ゴミが鳥獣に引っ張り出されることを完璧に防ぐ事ができるのです。生ゴミは、やがて回収業者の手で取り出されますが、回収業者はバスケットをかるく持ち上げる事により、ゴミ袋（６）を簡単にバスケットの中から外に取り出すことができます。
【考案の効果】
【０００９】  本考案は上述の通り構成されているので次ぎに記載する効果を奏する。
【００１０】  ▲１▼ゴミ集積場のスペースが節約できるので交通の妨げを抑える事ができる。
【００１１】  ▲２▼利用者は蓋（３）の上にゴミ袋をのせて、持ち上げるだけで簡単にバスケットの中にスベリ込ませる事ができるので、その都度ごとにネットを剥がしたり、覆う等の煩わしさから解放されます。
【００１２】  ▲３▼蓋を手から離すと布地は蓋の重みでつぶされて入り口（９）を閉じるので、入り口から中のゴミ袋が見えることはありません、又、吹き流し状の布地はゴム紐（５）により通り道が細くなっていますので、ゴミ袋を逆に引き出すのは難しく鳥獣の攻撃を回避する事ができます、さらに蓋を閉め忘れて失態をするようなことがない、
【００１３】  ▲４▼ゴミを回収する業者が、ネット（１）の裾に設けた、透明な筒（５）を軽く持ち上げる上げる事により、楽にゴミ袋（６）をバスケットの中から回収することが出来る。
【図面の簡単な説明】
【図１】ネット（１）の斜視図
【図２】吹き流し状の布地（４）を設けた蓋（３）の斜視図
【図３】布地（４）をゴム紐（５）で締めた様を示す蓋（３）の平面図
【図４】透明な筒（８）の斜視図
【図５】バスケット（７）の斜視図
【図６】バスケットを設置した様をしめす斜視図
【図７】ゴミ袋（６）がバスケットの中で満杯になった様をしめす斜視図
【符号の説明】
１  ネット    ２  開口部    ３  蓋    ４  布地    ５  ゴム紐    ６  ゴミ袋    ７  バスケット    ８  透明な筒    ９  入り口
【図１】
0003100648.tif 000003
【図２】
0003100648.tif 000004
【図３】
0003100648.tif 000005
【図４】
0003100648.tif 000006
【図５】
0003100648.tif 000007
【図６】
0003100648.tif 000008
【図７】
0003100648.tif 000009
【手続補正書】
【提出日】平成15年9月27日(2003.9.27)
【手続補正１】
【補正対象書類名】実用新案登録請求の範囲
【補正対象項目名】全文
【補正方法】変更
【補正の内容】
【書類名】実用新案登録請求の範囲    【請求項１】  バスケット（６）の内部に集積されたゴミ袋（８）が、鳥獣に攻撃されて食い散らかされるのを防ぐために、ネット（１）の裾（３）の部分に合成樹脂で出来た透明な筒（５）を設けた事を特徴とする鳥獣よけバスケット。    【請求項２】  ネット（１）の開口部（９）にゴミ袋（８）の入り口（２）となる、円形の口金（４）を設けた事を特徴とする請求項１記載の鳥獣よけバスケット。【手続補正２】
【補正対象書類名】明細書
【補正対象項目名】全文
【補正方法】変更
【補正の内容】
【書類名】明細書    【考案の名称】鳥獣よけバスケット  【考案の詳細な説明】    【０００１】    【産業上の利用分野】  家庭から排出される生ゴミは定められた収集日に出しますが、これを鳥獣に食い散かされて後始末に大変な思いをする事があります、その様な被害を防ぐために色々な取組がなされていますがこれと言った良い方法が無いのが実態です、本考案は集積された生ゴミが鳥獣に食い散かされるのを防止すると共に、ゴミ袋が道を占拠して歩行や自転車の走行に障害を来す事のないように、ゴミ袋を効率良く集積すると共に利用者には使いやすく、更にゴミ袋を回収する業に携わる人にも余計な苦労をさせないで、スムーズに作業を進めて行く事が出来るゴミ飛散防止用具を供給する事を目的にしています。    【０００２】    【従来の方法】  従来では生ゴミが鳥獣に食い散かされるのを防ぐために、ゴミ集積ボックスの設置やネットを被せる等の対策が取られていました。しかし、ゴミ集積ボックスはボックスであるがゆえ、ゴミ袋の出し入れが大変困難で回収する業者の方も苦労していた、最近ではゴミの分別が義務付けられゴミの出し方も複雑になっており、ゴミ集積ボックスを撤去するように指導する町村が増えています。  一方、集積したゴミ袋にネットを被せる方法では、その都度ごとにネットを被せたり剥したりしなければなりませんでした、又、ネットの掛け損じからゴミ袋がはみ出して  鳥獣に破られ、せっかくのネットが用を果たさない事がありました、さらに、ゴミ集積に要する面積がゴミの量に比例して広くなり歩行や自転車の走行に支障を来す事もありました。    【０００３】    【考案が解決しようとする課題】  考案が解決しようとする課題を整理すると次の５項目にまとめることができる。    【０００４】  ▲１▼  ゴミ袋を集積するその都度ごとにネットの裾をまくり上げたり、被せたりしないでもゴミ袋をネット内に集積する事ができるようにしたい。    【０００５】  ▲２▼  従来のゴミ袋にネットを被せる方法ではネットを掛け損じる事が多く、ネットの裾からゴミ袋がはみ出す事がありましたので、そのような失態をなくしたい。    【０００６】  ▲３▼  鳥獣よけバスケットの中に集積されたゴミ袋を、回収する業者が簡単に取り出す事ができるようにしたい。    【０００７】  ▲４▼  知恵と力で執拗に攻撃する鳥獣から、バスケットの中に集積されたゴミ袋を破られる事がないようにしたい。    【０００８】  ▲５▼  ゴミ袋を出し入れするバスケットの入り口をその都度ごとに、開け閉めをしないでも中のゴミ袋を鳥獣にいたずらされないようにしたい。    【０００９】    【課題を解決するための手段】  本考案の鳥獣よけバスケット（６）は上記の課題を解決する為に，図１で示すようにネット（１）を丸めて女性のスカートに似た円錐台状の底のないバスケット（６）を形成し、ネット（１）の裾（３）からゴミ袋（８）が鳥獣に引き出されないように、裾（３）の部分には図３で示すような合成樹脂で出来た透明な筒（５）を設けた、透明な筒（５）は底部（７）と地面との間にできる隙間を小さくする重しの役割と、鳥獣の攻撃をしっかりと受け止める盾の役割を合せ持ちます、バスケット（６）の入り口（２）となるネット（１）の開口部（９）には、バスケット（６）の蓋の役目をする、図２で示す円形の口金（４）を設けた、このようにしてネット（１）と合成樹脂で出来た透明な筒（５）更には、円形の口金（４）を図４に示す様に組み合わせて鳥獣よけバスケット（６）は形成され、目的にかなうその機能を発揮します。    【００１０】    【考案を実施するための最良の形態】  本考案の鳥獣よけバスケット（６）の使用法は、生ゴミ回収日に合わせて図５で示すように集積場の地面に設置します、利用者は口金（４）の中心にゴミ袋（８）を置いて口金（４）を両手で握り軽く持ち上げます、ゴミ袋（８）は円形の口金（４）をくぐり抜けてスルリとバスケット（６）の中に入ります、この様にしてゴミ袋（８）は次々に入れられます、やがてバスケット（６）は図６で示すようにゴミ袋（８）で一杯になって膨らみますがゴミ集積に要する面積は殆ど変りません、バスケット（６）の中のゴミ袋（８）の状態は常に外部からは透けて見ることが出来ます、鳥獣は習性で透けて見える部分の生ゴミを狙い打ちして攻撃しますが、合成樹脂で作られた透明な筒（５）は十分に攻撃に耐えますので、鳥獣は透明な筒（５）の回りをぐるぐる回るだけでどうすることも出来ません。  利用者はゴミ袋（８）を鳥獣よけバスケット（６）の中に入れた後は、その場を離れますが利用者が口金（４）から手を放しますと、口金（４）は図６に示すように自からの重みで首を垂れるように下の方向に移動してぶら下がります、口金（４）の入り口（２）はバスケット（６）を構成するネットの一部でふさがれる事になります、つまりバスケット（６）は入り口（２）を閉じられた状態となりますので入り口（２）から鳥獣にいたずらされる事はありません、又、鳥獣よけバスケット（６）には底がありませんのでゴミ袋（８）がバスケット（６）の外にはみ出す心配がありますが、透明の筒（５）は、重しの役目をすると共に，底部（７）と地面との隙間をより小さいものとするので、底のない鳥獣よけバスケット（６）からゴミ袋（８）が外にはみ出すことはなく鳥獣の侵入をも防ぐ事が出来ます、この様に鳥獣よけバスケット（６）はゴミ袋（８）を鳥獣の攻撃から守ることができるのです，やがて回収業者によりゴミ袋（８）がバスケット（６）の内部より取り出されます、回収の業にたずさわる人がバスケット（６）の円形の口金（４）を両手で握りバスケット（６）を丸ごと強く持ち上げます、この時ゴミ袋（８）の重みが透明の筒（５）に加わり持ち上げるのが大変なように思われますが、バスケット（６）には底がありませんし透明な筒（５）は最初から地面に垂直に立ちますので、ゴミ袋（８）と透明な筒（５）の内側に掛る摩擦抵抗は小さく、バスケット（６）を持ち上げてゴミ袋（８）を外に取り出すことはいとも簡単にできるのです。    【００１１】    【考案の効果】  本考案は上述の通り構成されているので次に記載する効果を奏する。    【００１２】▲１▼  ゴミ集積場のスペースが節約できるので交通の妨げを抑える事ができる。    【００１３】▲２▼  利用者はバスケット（６）の円形の口金（４）を持ち上げるだけで簡単にバスケット（６）の中に、ゴミ袋（８）をスベリ込ませる事ができるので、その都度ごとにネットを剥がしたり、ネットを覆う等の��わしさから解放されます。    【００１４】▲３▼  利用者は口金（４）から手を離すと口金（４）は自らの重みで下方に移動し、首を垂れるようにぶら下がり入り口（２）を閉じるので、入り口（２）から鳥獣の攻撃を受けることがない、    【００１５】▲４▼  ゴミ袋（８）を回収する業者が、バスケット（６）を軽く持ち上げる事により、楽にゴミ袋（８）をバスケット（６）の中から取り出すことが出来る。    【００１６】▲５▼  バスケット（６）に集積されたゴミ袋（８）が鳥獣の知恵と力による執拗な攻撃で破られる事を回避出来ます。    【図面の簡単な説明】    【図１】円錐台状に形成したネット（１）の状態図    【図２】入り口（２）となる口金（４）の上面図    【図３】透明な筒（５）の状態図    【図４】鳥獣よけバスケット（６）の斜視図    【図５】  ゴミ集積場に鳥獣よけバスケット（６）を設置した状態をしめす斜視図    【図６】  ゴミ袋（６）がバスケットの中で満杯になった状態をしめす斜視図    【符号の説明】    １  ネット    ２  入り口    ３  裾    ４  口金    ５  透明な筒    ６  バスケット    ７  底部    ８  ゴミ袋    ９  開口部【手続補正３】
【補正対象書類名】図面
【補正対象項目名】全図
【補正方法】変更
【補正の内容】
【図１】
0003100648.tif 000010
【図２】
0003100648.tif 000011
【図３】
0003100648.tif 000012
【図４】
0003100648.tif 000013
【図５】
0003100648.tif 000014
【図６】
0003100648.tif 000015